(57)【要約】      （修正有）【課題】現在の復調器は、比較的多数のタップを有するイコライザを利用して、遅延が大きいプリカーソルエコーおよびポストカーソルエコーを等化する。この種類のイコライザにて、長期で静的な、および、短期で動的なエコーを等化する。【解決手段】方法は、キャリア信号を受信する段階３２と、受信したキャリア信号を分析して、信号における静的なマルチパス遅延および動的なマルチパス遅延のうち少なくとも１つを特定する段階３４とを備える。方法はさらに、静的および動的なマルチパス遅延のうち少なくとも１つに基づいてイコライザを構成する段階３６を備える。【選択図】図１
2010136363.tif 000002
【特許請求の範囲】
【請求項１】
キャリア信号を受信する段階と、
前記受信したキャリア信号を分析して、前記信号における静的なマルチパス遅延および動的なマルチパス遅延のうち少なくとも１つを特定する段階と、
前記静的なマルチパス遅延および前記動的なマルチパス遅延のうち前記少なくとも１つに基づいてイコライザを構成する段階と
を備える方法。
【請求項２】
前記イコライザはスパース決定フィードバックイコライザを含む
請求項１に記載の方法。
【請求項３】
前記イコライザを構成する段階は、
前記イコライザが利用する最小二乗平均（ＬＭＳ）アルゴリズムの適応定数を推定する段階を有する
請求項２に記載の方法。
【請求項４】
前記イコライザを構成する段階は、
前記イコライザが前記静的および動的なマルチパスのうち前記少なくとも１つを等化するべく必要なタップ数を推定する段階と、
前記必要なタップ数を第１のタップセットおよび第２のタップセットに分割する段階とを有し、
前記第１のタップセットは前記静的なマルチパス遅延を等化し、前記第２のタップセットは前記動的なマルチパス遅延を等化する
請求項２に記載の方法。
【請求項５】
前記イコライザを構成する段階は、
前記イコライザの前記第１のタップセットおよび前記第２のタップセットの各々の位置を決定する段階を有する
請求項４に記載の方法。
【請求項６】
前記第２のタップセットを前記イコライザのフィードフォワード部およびフィードバック部へ提供して、前記動的なマルチパス遅延を等化する段階を備える
請求項４に記載の方法。
【請求項７】
前記第２のタップセットのタップ数は、約３２未満である
請求項６に記載の方法。
【請求項８】
前記第１のタップセットの各々の位置は、前記静的なマルチパス遅延の遅延長に基づく
請求項４に記載の方法。
【請求項９】
前記受信したキャリア信号を分析する段階は、
受信した疑似ランダムノイズ（ＰＮ）シーケンスを参照シーケンスと比較して、前記静的なマルチパス遅延および前記動的なマルチパス遅延のうち前記少なくとも１つを特定する段階を有する
請求項１に記載の方法。
【請求項１０】
前記動的なマルチパス遅延は、前記イコライザのアンテナの近くに配設された複数の移動オブジェクトからの反射が引き起こす遅延に対応する
請求項１に記載の方法。
【請求項１１】
前記静的なマルチパス遅延は、複数の静的オブジェクトからの反射が引き起こす遅延に対応する
請求項１に記載の方法。
【請求項１２】
複数のキャリア信号を受信するレシーバと、
前記複数のキャリア信号の各々を分析して、前記複数のキャリア信号における静的なマルチパス遅延および動的なマルチパス遅延のうち少なくとも１つを特定するチャネルエスティメータと、
複数のタップを有し、前記静的なマルチパス遅延および前記動的なマルチパス遅延のうち前記少なくとも１つに基づいて構成されるイコライザと
を備える通信モジュール。
【請求項１３】
前記チャネルエスティメータは、前記レシーバから受信したＰＮシーケンスを参照シーケンスと比較して、前記静的なマルチパス遅延および前記動的なマルチパス遅延のうち前記少なくとも１つを特定する
請求項１２に記載の通信モジュール。
【請求項１４】
前記イコライザはスパース決定フィードバックイコライザ（ＤＦＥ）を有する
請求項１２に記載の通信モジュール。
【請求項１５】
前記イコライザは、前記静的なマルチパス遅延を等化する第１のタップセットと、前記動的なマルチパス遅延を等化する第２のタップセットとを有する
請求項１２に記載の通信モジュール。
【請求項１６】
前記第２のタップセットは、所期数のタップを前記イコライザのフィードフォワード部とフィードバック部とに含み、前記動的なマルチパス遅延を等化する
請求項１５に記載の通信モジュール。
【請求項１７】
前記第１のタップセットの各々の位置は、前記静的なマルチパス遅延および前記動的なマルチパス遅延の遅延長に基づく
請求項１５に記載の通信モジュール。
【請求項１８】
中央処理ユニットと、
通信モジュールと
を備え、
前記通信モジュールは、
複数のキャリア信号を受信するレシーバと、
前記複数のキャリア信号の各々を分析して、前記複数のキャリア信号における静的なマルチパス遅延および動的なマルチパス遅延のうち少なくとも１つを特定するチャネルエスティメータと、
複数のタップを含み、前記静的なマルチパス遅延および前記動的なマルチパス遅延のうち前記少なくとも１つに基づいて構成されるイコライザとを有する
デバイス。
【請求項１９】
前記イコライザは、前記静的なマルチパス遅延に対応する第１のタップセットと、前記動的なマルチパス遅延に対応する第２のタップセットとを含む
請求項１８に記載のデバイス。
【請求項２０】
前記デバイスは、ポータブルコンピュータ、無線コミュニケータ、およびハンドヘルドデバイスのうち１つを備え、
前記通信モジュールは、前記中央処理ユニット上のソフトウェアに実装される
請求項１９に記載のデバイス。
【発明の詳細な説明】
【背景技術】
【０００１】
決定フィードバックイコライザが公知であり利用されている。通常のイコライザは、長期で静的な、あるいは、準静的なマルチパスの遅延が顕著な陸環境用に設計されている。この種類のイコライザは、ノートブックおよびネットブック等のポータブルおよびモバイル用途には不適である。主に静的なマルチパスを経るルーフトップアンテナと比較すると、ポータブル環境は静的なマルチパスに加えてしばしば時変のマルチパスを経る。現在の復調器は、比較的多数のタップを有するイコライザを利用して、遅延が大きいプリカーソルエコーおよびポストカーソルエコーを等化する。しかし、この種類のイコライザは長期で静的な、および、短期で動的なエコーを等化する用途には不適である。
【図面の簡単な説明】
【０００２】
請求されている主題の実施形態の特徴は、以下の詳細な記載を、図面を参照して読むことで明らかになる。同様の部分には同様の参照番号を付記している。
【０００３】
【図１】本技術の実施形態によるポータブル環境下の時変チャネルに応じた等化の方法例を示す。
【０００４】
【図２】本技術の実施形態による例示的な通信システムを示す。
【０００５】
【図３】本技術の実施形態による図２の通信システムのチャネルエスティメータが特定する動的なマルチパス遅延プロフィル例を示す。
【０００６】
【図４】本技術の実施形態による最小二乗平均アルゴリズムの適応定数（adaptation constant）に関するイコライザ誤差分散のプロフィル例を示す。
【０００７】
【図５】本技術の実施形態による図２のイコライザのタップの例示的な位置を示す。
【０００８】
【図６】コンピュータシステムの実施形態を示す。
【０００９】
以下の詳細な記載は、請求されている主題の例示的な実施形態について言及しているが、その多くの代替例、変形例、および変更例が当業者には明らかである。故に、請求されている主題は広義に解釈されるべきであり、添付請求項によってのみの定義を意図する。
【発明を実施するための形態】
【００１０】
以下に詳述するように、本発明の実施形態は、ポータブル環境下の時変チャネル用の決定フィードバック等化技術を提供する役割を果たす。特に、レシーバが受信する信号を分析して、静的および動的なマルチパス遅延を特定する。さらに、イコライザは、特定された静的および／または動的なマルチパス遅延に基づいて構成される。
【００１１】
本明細書における「一実施形態」、「１つの実施形態」、「例示的な実施形態」といった記載は、記載されている実施形態が特定の特徴、構造、または性質を含みうるが、全ての実施形態がそれらの特定の特徴、構造、または性質を含まねばならないということではない。さらに、このような言い回しは必ずしも同じ実施形態のことを意味しているわけではない。さらに、特定の特徴、構造、または性質を１つの実施形態との関連で記載している場合、特に明記していなくても、当業者であればこのような特定の特徴、構造、または性質を、他の実施形態との関連で変更することができることを理解されたい。
【００１２】
図１は、ポータブル環境下で時変チャネルに応じて等化を行う例示的な方法１０を示す。ブロック１２で、キャリア信号が受信される。本実施形態では、キャリア信号は、通信モジュールのレシーバのアンテナを介して受信される。例示的な実施形態では、キャリア信号は、ＡＴＳＣ（advanced television systems committee）信号を含む。別の例示的な実施形態では、キャリア信号はＤＭＢ−Ｔ／Ｈ（digital multimedia broadcast-terrestrial/handheld）信号を含む。
【００１３】
ブロック１４で、受信されたキャリア信号を分析して、信号の静的なマルチパス遅延および動的なマルチパス遅延のうち少なくとも１つを特定する。ある例示的な実施形態では、受信された疑似ランダムノイズ（ＰＭ）シーケンスを参照シーケンスと比較して、静的および動的なマルチパス遅延のうち少なくとも１つを特定する。しかし、静的および動的なマルチパス遅延を特定する他の技術も含まれうる。
【００１４】
この例示的な実施形態では、静的なマルチパス遅延は、複数の静的オブジェクトからの反射が引き起こす遅延に対応する。さらに、動的なマルチパス遅延は、アンテナの付近に配置された複数の移動オブジェクトからの反射が引き起こす遅延に対応する。ある例示的な実施形態では、動的なマルチパス遅延は、ポータブルデジタルテレビ（ＤＴＶ）レシーバプラットフォームに近い移動車両が引き起こす反射により起こる遅延に対応している。ある例示的な実施形態では、静的なマルチパス遅延は、建物および／または山等の遠隔の静的オブジェクトにより引き起こされる反射に対応する。
【００１５】
ブロック１６では、通信モジュールのイコライザは、静的および動的なマルチパス遅延のうち少なくとも１つに基づいて構成される。この例示的な実施形態では、イコライザは、スパース決定フィードバックイコライザを含む。例示的な実施形態では、静的および動的なマルチパスのうち少なくとも１つを等化するべくイコライザが必要とする数のタップを推定する。さらに、必要な数のタップを、第１のタップセットおよび第２のタップセットに分割する。第１のタップセットは、静的なマルチパス遅延を等化するよう提供され、第２のタップセットは、動的なマルチパス遅延を等化するよう提供される。ある例示的な実施形態では、第１のタップセットおよび第２のタップセットの各々の位置が決定される。
【００１６】
図２は、例示的な通信システム２０を示す。例示的な実施形態では、通信システム２０は、参照番号２４が示すような複数のキャリア信号を送信するトランスミッタ２２を含む。このような信号２４は、送信チャネル２６から通信モジュール２８へ送信される。この例示的な実施形態では、通信モジュール２８は、複数の信号２４を受信するレシーバ３０を含む。通信モジュールはさらにイコライザ３２を含む。イコライザ３２は、送信チャネル２６およびフロントエンドエレクトロニクスにより引き起こされる歪を実質的になくす。
【００１７】
この例示的な実施形態では、レシーバ３０によりインスタントｋでサンプルされた受信信号３４の出力が以下の式で表される。
【数１】
2010136363.tif 000003
ｘ（ｔ）は送信信号２４であり、ｈ（ｔ）は送信チャネル２６のチャネルインパルス応答であり、ｙ（ｔ）は受信信号３４であり、ｙ（ｔ）は以下の式で表される。
【数２】
2010136363.tif 000004
【００１８】
ここで、＊は重畳演算であり、ｎ（ｔ）はノイズまたは干渉である。
【００１９】
この例示的な実施形態では、イコライザ３２はチャネルの効果を等化して、送信信号ｘ（ｔ）２４を回復する。通信モジュール２８は、複数の受信信号３４の各々を分析して、信号の静的なマルチパス遅延および動的なマルチパス遅延のうち少なくとも１つを特定するチャネルエスティメータ３６を含む。イコライザ３２は、静的および動的なマルチパス遅延のうち少なくとも１つに基づいて構成される。この例示的な実施形態では、イコライザ３２はスパース決定フィードバックイコライザを含む。他の適切なイコライザを利用することもできる。
【００２０】
チャネルエスティメータ３６は、複数の受信信号の各々を分析して、主要経路（最大電力を有する経路）とマルチパス遅延とを特定する。実施形態によっては、フィールドｓｙｎｃ内の受信した疑似ランダムノイズ（ＰＮ）シーケンスは、参照疑似ランダムノイズシーケンスと相関関係にある。相関関係は向上され、規格化されてよく、閾値が決定されてよい。閾値を超える全てのピークが、プリンシパルを表す最大値を有する経路（つまり主要経路）を表してよく、プリンシパルの左側のものがプリカーソルとして特定され、プリンシパルの右側のものがポストカーソルとして特定される。
【００２１】
ひとたび主要経路と、静的および動的なマルチパス遅延等のマルチパス遅延とが特定されると、イコライザ３２はこのようなマルチパス遅延を等化するよう構成されうる。特に、静的および動的なマルチパスを等化するべくイコライザが必要とする数のタップを決定する。さらに、必要な数のタップを、第１のタップセットおよび第２のタップセットに分割する（不図示）。第１のタップセットは、静的なマルチパス遅延を等化するよう提供され、第２のタップセットは、動的なマルチパス遅延を等化するよう提供される。このような等化技術により、イコライザのシリコン領域の低減および電力消費の低減が促進される。
【００２２】
図３は、図２の通信システム２０のチャネルエスティメータ３６が特定する動的なマルチパス遅延プロフィル５０の例を示す。このイベント例においては、ラップトップのようなポータブルデジタルテレビ（ＤＴＶ）レシーバプラットフォームに近い車両のような移動オブジェクト（不図示）の効果を、出生死滅イベントを用いてモデリングする。この実施形態では、横軸５２が時間を表し、縦軸５４がマルチパスコンポーネントの例示的な振幅を表す。
【００２３】
この実施形態では、主要経路は参照番号５６で表され、出生死滅マルチパスイベントはプロフィル５８で表されている。出生死滅イベント５８は、主要経路５６と比してτ秒の遅延で生じていることが分かるであろう。このイベント例においては、出生の振幅は、参照番号６０で示すように、約０．１秒間に約−２０ｄＢから約３ｄＢへと上昇する。この実施形態では、出生死滅プロフィル５８は、約６フィートの高さのコーヒーショップの窓の前を４０マイル／時の車両速度で通る大きな移動車両反射体（例えばトラック、バス等）のレーダ断面分析を利用して決定される。出生死滅発生率は、３車線において車線毎に一時間毎に約２０００車両と仮定される。
【００２４】
参照番号６２が示すように、振幅は、約０．２秒間３ｄＢを安定して維持する。さらに、死滅の振幅は、０．３秒に約３ｄＢから約−２０ｄＢまで下降する。実施形態によっては、出生死滅発生はポアソン分布の形をとる。この例示的な実施形態では、約２００ｎｓｅｃの出生死滅遅延を室内環境では仮定しており、これは、通信システム２０（図２参照）のレシーバ３０（図２参照）から約６０メートルの距離にある反射オブジェクトに対応する。約１０．７６ＭｓｐｓのＡＴＳＣ信号レートでの約９２．９秒のシンボル期間については、イコライザ３２（図２参照）に必要とされるタップ数は比較的少ない。
【００２５】
実施形態によっては、複数のタップ（不図示）をイコライザ３２に提供して、上述の動的なマルチパス遅延を等化する。ある例示的な実施形態では、これら複数のタップは、イコライザ３２のフィードフォワード部およびフィードバック部に提供されて、動的なマルチパス遅延を等化する。ある例示的な実施形態では、タップ数は約３２より少ない。別の例示的な実施形態では、タップ数は約１０である。故に、所期数のタップをイコライザ３２のプリンパルタップ（不図示）の周りに提供して、車、トラック、または人々等の近くの移動オブジェクトからの時変的な短いマルチパス遅延を補償する。動作においては、出生死滅イベントが起こると、出生死滅遅延に対応するタップがゼロから、出生死滅イベントマルチパスに依存してプリンシパルよりも高い値へ増加して、その後、出生死滅が降下すると極僅かになる。
【００２６】
ある例示的な実施形態では、イコライザ３２が利用する最小二乗平均（ＬＭＳ）アルゴリズムの適応定数を推定する。最小二乗平均アルゴリズムの適応定数は、イコライザ３２のタップ数と受信信号電力とに基づいて選択されることに留意されたい。動的なマルチパス遅延イベントについては、タップ数は増やされ、適応定数範囲は比較的狭い。この結果、ある値を超えると、時変的な出生死滅イベントについてイコライザは収束しない（つまり、イコライザは小さい誤差で追従する）。故に、動的なマルチパス遅延に対応するタップの総数は比較的小さい。この例示的な実施形態では、プリンシパルタップの周りに数個のタップを提供して、動的なマルチパス遅延を等化している。
【００２７】
この例示的な実施形態では、イコライザ３２は、静的なマルチパス遅延に基づいて構成される。特に、第１のタップセットが静的なマルチパス遅延を等化するよう提供され、第１のタップセットの数は、少なくとも等化が必要な数の遅延の数程度である。さらに、最小二乗平均アルゴリズムの適応定数は、静的遅延の「長さ」ではなくて、主要な静的なマルチパス遅延の数に基づいて決定される。一実施形態では、動的なマルチパス遅延の適応定数は、静的なマルチパス遅延の適応定数より比較的大きい。
【００２８】
図４は、最小二乗平均アルゴリズムの適応定数に関するイコライザ誤差分散の例示的プロフィル８０を示す。示されている実施形態では、横軸８２が適応定数を表し、縦軸８４がイコライザ誤差分散（ｄＢ）を表す。多数のタップを有する従来のイコライザのプロフィルを参照番号８６で示し、比較的少ない数のタップを有するポータブルモバイルチャネル用に設計されたイコライザのプロフィルを参照番号８８で示す。ポータブルモバイルチャネル用のイコライザのプロフィルが、従来のイコライザと比して比較的高い値の適応定数をを必要とすることが分かるであろう。さらに、従来のイコライザは、必要とされている高いポータブル適応定数では、誤差分散が許容できないほど増えてしまう可能性がある。
【００２９】
本例示的な実施形態では、スパース決定フィードバックイコライザを利用して、より少ない非ゼロタップにより、より大きな値の適応定数を許容する。これにより、イコライザの収束が向上して計算が低減されるので有利である。この例示的な実施形態では、プリカーソル、ポストカーソル、およびそれらの交差項位置（crossterm location）のタップのみを非ゼロに設定する。さらに、プリンシパルタップの周りの幾らかの非ゼロのタップを、動的なマルチパス遅延を補償するべく提供する。出生死滅イベントがない場合、プリンシパルタップの周りの非ゼロタップは、イコライザの性能全体に影響しない。
【００３０】
一例示的な実施形態では、イコライザ応答は以下の式により表される。
【数３】
2010136363.tif 000005
ここでＨ（ｚ）はチャネル伝達関数である。さらに、イコライザ応答は、１つのプリカーソル経路、１つの主要経路、および１つのポストカーソル経路の例において以下の式で表される。
【数４】
2010136363.tif 000006
【００３１】
ここで、（β、τβ）はプリカーソルであり、（α、τα）はポストカーソルである。
【００３２】
故に、イコライザにはプリンシパルタップ、プリカーソルタップ、ポストカーソルタップ、および、交差項タップ（式（４）の４番目の項）がある。実施形態によっては、２番目（式（４）の５番目および６番目の項）以上のオーダのタップは、振幅αおよびβの大きさに応じて無視してよい。例示的な実施形態では、約−２５μｓｅｃｓにおけるプリカーソルおよび約４７μｓｅｃｓのポストカーソルの交差項が以下のように推定される。
【数５】
2010136363.tif 000007
【００３３】
ここで、Ｔは６４−スタッガード直交振幅変調（ＱＡＭ）間隔であり、
【００３４】
Ｔ／２は約９２．９ｎｓｅｃｓである。
【００３５】
実施形態によっては、プリカーソル、ポストカーソル、および交差項位置が非ゼロの位置に配置されて、静的なマルチパス遅延の出生死滅イベントの効果を補償する。非ゼロタップの数を出生死滅遅延に基づいて推定する。実施形態によっては、非ゼロタップの数は約５である。
【００３６】
図５は、図２のイコライザ３２のタップの例示的な位置１００を示す。この例示的な実施形態では、プリカーソルおよびポストカーソルのタップ１０２および１０４が、それぞれ−２５μｓｅｃｓおよび４７μｓｅｃｓである。フィードフォワード部１０６は約Ｔ／２間隔であり、フィードバック部１０８は約Ｔ間隔である。さらに、上述のように、交差項１１０は約１１８．５Ｔ間隔である。
【００３７】
上述の通信システム２０は、コンピュータシステム、無線コミュニケータ、およびハンドヘルドデバイスに配設されてよい。図６は、コンピュータシステム１２０の実施形態を示す。コンピュータシステム１２０は、様々なコンポーネントが連結されたバス１２２を含む。実施形態によっては、バス１２２は、システムバス、ＰＣＩｅ（Peripheral Component Interface Express）バス等の複数のバスの集合体を含む。例示を簡潔にする目的からこれらバスを単一のバス１２２として表すが、システム１２０はこれに限られない。当業者であればコンピュータシステム１２０が任意の適切なバスアーキテクチャを含みえて、任意の数のバスの組み合わせを含みうることを理解しよう。
【００３８】
プロセッサ１２４はバス１２２に連結される。プロセッサ１２４は、マイクロプロセッサ（例えばシングルコアまたはマルチコアプロセッサ）、ネットワークプロセッサ、特定用途向けＩＣ（ＡＳＩＣ）、グラフィックスプロセッサ（ＧＰＵ）、またはＦＰＧＡ（field programmable gate array）、その他の任意の類似デバイスを含む、任意の適切な処理デバイスまたはシステムを含みうる。図６は単一のプロセッサ１２４を示しているが、コンピュータシステム１２０は２以上のプロセッサを含みうることに留意されたい。
【００３９】
コンピュータシステム１２０は、バス１２２に連結されるシステムメモリ１２６をさらに含む。システムメモリ１２６は、スタティックＲＡＭ（ＳＲＡＭ）、ダイナミックＲＡＭ（ＤＲＡＭ）、同期型ＤＲＡＭ（ＳＤＲＡＭ）、ダブルデータレートＤＲＡＭ（ＤＤＲＤＲＡＭ）等の任意の適切な種類および数のメモリを含みうる。コンピュータシステム１２０の動作中に、オペレーティングシステムおよびその他のアプリケーションがシステムメモリ１２６にあってよい。
【００４０】
コンピュータシステム１２０はさらに、バス１２２に連結された読み出し専用メモリ（ＲＯＭ）１２８を含みうる。ＲＯＭ１２８は、プロセッサ１２４用の命令を記憶しうる。コンピュータシステム１２０はさらに、バス１２２に連結された記憶デバイス（１または複数）１３０を含みうる。記憶デバイス１３０は、例えばハードディスクドライブ等の適切な不揮発性メモリを含む。オペレーティングシステムおよびその他のプログラムを記憶デバイス１３０に格納してよい。さらに、取り外し可能な記憶媒体にアクセスするデバイス１３２（例えばフロッピー（登録商標）ディスクドライブまたはＣＤ  ＲＯＭドライブ）をバス１２２に連結してよい。
【００４１】
コンピュータシステム１２０は、さらに、バス１２２に連結された１以上の入出力（Ｉ／Ｏ）デバイス１３４を含みうる。共通の入力デバイスは、キーボード、マウス等のポインティングデバイス、および他のデータ入力デバイスを含む。さらに、共通の出力デバイスは、ビデオディスプレイ、印刷デバイス、および音声出力デバイスを含む。これらが、コンピュータシステム１２０に連結可能な種類のＩ／Ｏデバイスの幾らかの例示に過ぎないことを理解されたい。
【００４２】
コンピュータシステム１２０はさらに、バス１２２に連結されたネットワークインタフェース１３６を含みうる。ネットワークインタフェース１３６は、システム１２０をネットワーク（例えばネットワークインタフェースカード）へと連結可能な任意のハードウェア、ソフトウェア、または、ハードウェアとソフトウェアとの組み合わせを含みうる。ネットワークインタフェース１３６は、ＴＣＰ／ＩＰ（Transmission Control protocol/Internet Protocol）、ＨＴＴＰ（Hyper-Text Transmission Protocol）等の任意の適切なプロトコルおよびその他を介した情報交換をサポートする任意の適切な媒体（無線、銅線、光ファイバ、またはそれらの組み合わせ）を介してネットワークとのリンクを構築しうる。
【００４３】
図６に示すコンピュータシステム１２０は、このようなシステムの実施形態を表す意図があり、さらにこのシステムが、理解を助ける目的から省いた任意のさらなるコンポーネントを含みうることを示す。例示として、システム１２０は、ＤＭＡ（direct memory access）コントローラ、プロセッサ１２４に関連付けられたチップセット、さらなるメモリ（例えばキャッシュメモリ）、およびさらなる信号線およびバスを含みうる。加えて、コンピュータシステム１２０は、図６に示すコンポーネント全てを含まなくてもよい。コンピュータシステム１２０は、デスクトップコンピュータ、ラップトップコンピュータ、サーバ、ハンドヘルドコンピューティングデバイス、無線通信デバイス、娯楽システム等の任意の種類のコンピューティングデバイスを含みうる。
【００４４】
本実施形態では、コンピュータシステム１２０は上述の実施形態で記載したような通信システムを含みうる。例示として、コンピュータシステム１２０は、複数のキャリア信号を受信するレシーバおよび複数の信号の各々を分析して、信号の静的なマルチパス遅延および動的なマルチパス遅延のうち少なくとも１つを特定するチャネルエスティメータを含みうる。コンピュータシステム１２０はさらに、複数のタップを有するイコライザを含みえて、イコライザは、静的および動的なマルチパス遅延のうち少なくとも１つに基づいて構成される。
【００４５】
上述の詳細な記載および添付図面は例示のみを目的としており、限定は目的としていない。これらは、主に開示される実施形態の明確および包括的な理解を促す目的から提供されており、不要な限定を導き出されるために提供されているわけではない。当業者であれば、開示されている実施形態の精神および添付請求項の範囲を逸脱しない範囲で、ここに記載されている実施形態に対する多くの追加、削除、および変形、および、代替的構成について想到しよう。
【図１】
2010136363.tif 000008
【図２】
2010136363.tif 000009
【図３】
2010136363.tif 000010
【図４】
2010136363.tif 000011
【図５】
2010136363.tif 000012
【図６】
2010136363.tif 000013
【外国語明細書】
2010136363.tif 000014
2010136363.tif 000015
2010136363.tif 000016
2010136363.tif 000017
2010136363.tif 000018
2010136363.tif 000019
2010136363.tif 000020
2010136363.tif 000021
2010136363.tif 000022
2010136363.tif 000023
2010136363.tif 000024
2010136363.tif 000025
2010136363.tif 000026
2010136363.tif 000027
2010136363.tif 000028
2010136363.tif 000029
2010136363.tif 000030
2010136363.tif 000031
2010136363.tif 000032